(57)【要約】【課題】熟練した技量が無くとも、容易かつ迅速に変速機のフルード交換を行うことが可能なフルード交換装置を提供する。【解決手段】オイルパンＺにオーバーフローチューブＴが取着された車両変速機の該オイルパンＺ内のフルードＦを交換するためのフルード交換装置であって、オーバーフローチューブＴの排出口Ｔａに着脱自在に取着するためのアダプタ部材２と、アダプタ部材２が先端部に取着されるホース部材１と、オイルパンＺ内のフルードＦの油温を測定するための熱電対３と、を備え、熱電対３をホース部材１に取着したことを特徴とするフルード交換装置。【選択図】図１
2019051953.tif 000002
【特許請求の範囲】
【請求項１】
オイルパン（Ｚ）にオーバーフローチューブ（Ｔ）が取着された車両変速機の該オイルパン（Ｚ）内のフルード（Ｆ）を交換するためのフルード交換装置であって、
上記オーバーフローチューブ（Ｔ）の排出口（Ｔａ）に着脱自在に取着するためのアダプタ部材（２）と、該アダプタ部材（２）が先端部に取着されるホース部材（１）と、上記オイルパン（Ｚ）内のフルード（Ｆ）の油温を測定するための熱電対（３）と、を備え、
上記熱電対（３）を上記ホース部材（１）に取着したことを特徴とするフルード交換装置。
【請求項２】
上記アダプタ部材（２）を、複数種類備え、
上記アダプタ部材（２）は、複数種類の内から選択的に、上記ホース部材（１）に交換自在に取着されている請求項１記載のフルード交換装置。
【請求項３】
上記熱電対（３）が、上記ホース部材（１）の先端から上記アダプタ部材（２）と上記オーバーフローチューブ（Ｔ）を通過して、Ｕターン状として先端（３ａ）が上記オイルパン（Ｚ）内のフルード（Ｆ）の液面からフルード（Ｆ）内部に浸漬するように、上記熱電対（３）を上記ホース部材（１）に取着した請求項１又は２記載のフルード交換装置。
【請求項４】
上記ホース部材（１）及び上記アダプタ部材（２）を介して上記オイルパン（Ｚ）内にフルード（Ｆ）を送るためのポンプ（５）と、上記オイルパン（Ｚ）から回収したフルード（Ｆ）を蓄えるための廃油タンク（６）と、を接続するための廃油用配管部（86）を備え、さらに、該廃油用配管部（86）と、上記ホース部材（１）の先端側と、を接続するための洗浄用接続配管部（89）を、備え、
上記ホース部材（１）の先端側と、上記洗浄用接続配管部（89）と、を接続した状態で、上記ポンプ（５）から上記ホース部材（１）と上記洗浄用接続配管部（89）を介して上記廃油タンク（６）にフルード（Ｆ）を送流させて、配管洗浄を行うように構成した請求項１，２又は３記載のフルード交換装置。
【請求項５】
車両のレベルゲージ用孔に挿入可能なストロー状ノズル（90）が先端部に取着されたレベルゲージ用孔対応ホース部材（９）が付設されている請求項１，２，３又は４記載のフルード交換装置。
【発明の詳細な説明】
【技術分野】
【０００１】
本発明は、フルード交換装置に関する。
【背景技術】
【０００２】
従来、車両変速機のレベルゲージ用孔（フィラーチューブ）に、ストロー状ノズルを挿入して、古いフルードを抜き出した後、新たなフルードを注入するフルード交換装置（例えば、特許文献１参照）があった。
【先行技術文献】
【特許文献】
【０００３】
【特許文献１】特開平２−２４２５１号公報
【発明の概要】
【発明が解決しようとする課題】
【０００４】
従来は、レベルゲージ用孔（レベルゲージが差込まれるフィラーチューブ）に、ストロー状ノズルを挿入していたが、近年、通常運転程度ではフルード交換が不要とされる変速機は、レベルゲージが無く、レベルゲージ用孔（フィラーチューブ）も無くなっている。しかしながら、通常運転程度ではフルード交換が不要とされる変速機であっても、運転状況（乗り方）に応じて、フルードを交換することがメーカー等により推奨されている。
上述のようなレベルゲージの無い変速機は、オイルパンのドレイン口に取着されるオーバーフローチューブと、オーバーフローチューブの排出口に取着されるオーバーフロープラグと、を備えており、フルードを多めに注入した後に、オーバーフローにて油量の調整及び確認を行うオーバーフロー式となっている。そして、このようなオーバーフロー式は、適正な油温において、油量を調整することが求められていた。
このオーバーフロー式の変速機は、レベルゲージ用孔にストロー状ノズルを挿入する従来のフルード交換装置は対応できず、作業者が手作業で行っていたが、油温の確認や油量の調整等熟練した技量が必要であると共に、手間と時間がかかるといった問題があった。
【０００５】
そこで、本発明は、熟練した技量が無くとも、容易かつ迅速に変速機のフルード交換を行うことが可能なフルード交換装置の提供を目的とする。
【課題を解決するための手段】
【０００６】
本発明のフルード交換装置は、オイルパンにオーバーフローチューブが取着された車両変速機の該オイルパン内のフルードを交換するためのフルード交換装置であって、上記オーバーフローチューブの排出口に着脱自在に取着するためのアダプタ部材と、該アダプタ部材が先端部に取着されるホース部材と、上記オイルパン内のフルードの油温を測定するための熱電対と、を備え、上記熱電対を上記ホース部材に取着したものである。
また、上記アダプタ部材を、複数種類備え、上記アダプタ部材は、複数種類の内から選択的に、上記ホース部材に交換自在に取着されているものである。
また、上記熱電対が、上記ホース部材の先端から上記アダプタ部材と上記オーバーフローチューブを通過して、Ｕターン状として先端が上記オイルパン内のフルードの液面からフルード内部に浸漬するように、上記熱電対を上記ホース部材に取着したものである。
【０００７】
また、上記ホース部材及び上記アダプタ部材を介して上記オイルパン内にフルードを送るためのポンプと、上記オイルパンから回収したフルードを蓄えるための廃油タンクと、を接続するための廃油用配管部を備え、さらに、該廃油用配管部と、上記ホース部材の先端側と、を接続するための洗浄用接続配管部を、備え、上記ホース部材の先端側と、上記洗浄用接続配管部と、を接続した状態で、上記ポンプから上記ホース部材と上記洗浄用接続配管部を介して上記廃油タンクにフルードを送流させて、配管洗浄を行うように構成したものである。
また、車両のレベルゲージ用孔に挿入可能なストロー状ノズルが先端部に取着されたレベルゲージ用孔対応ホース部材が付設されているものである。
【発明の効果】
【０００８】
本発明によれば、油温を容易に確認でき、フルードを適正量に迅速に調整できる。車両変速機内に、ゴミ等の異物が侵入せず、異物による損傷を防止できる。熟練した技量が無くとも、フルード交換を適正かつ迅速に行うことができる。
【図面の簡単な説明】
【０００９】
【図１】本発明の実施の一形態を示す構成説明図である。
【図２】本発明の実施形態を示す図であって、（ａ）は正面図であり、（ｂ）は側面図である。
【図３】使用状態を示す要部拡大断面図である。
【図４】アダプタ部材の種類を説明するための斜視図であって、（ａ）はストレート型大径ネジ用のアダプタ部材の斜視図であり、（ｂ）はストレート型中径ネジ用のアダプタ部材の斜視図であり、（ｃ）はストレート型小径ネジ用のアダプタ部材の斜視図であり、（ｄ）はＬ字型小径ネジ用のアダプタ部材の斜視図である。
【図５】準備作業工程を説明するための構成説明図である。
【図６】フルード注入工程を説明するための構成説明図である。
【図７】フルード回収工程を説明するための構成説明図である。
【図８】配管洗浄工程を説明するための構成説明図である。
【図９】配管洗浄工程を説明するための構成説明図である。
【図１０】配管洗浄工程を説明するための構成説明図である。
【図１１】標準交換工程を説明するためのフローチャート図である。
【図１２】簡易交換工程を説明するためのフローチャート図である。
【図１３】入念交換工程を説明するためのフローチャート図である。
【図１４】油温確認工程を説明するためのフローチャート図である。
【図１５】図３に代わる他の例を示す要部拡大断面図である。
【発明を実施するための形態】
【００１０】
以下、図示の実施形態に基づき本発明を詳説する。
本発明に係るフルード交換装置は、図１に示すように、オイルパンＺにオーバーフローチューブＴが取着された車両変速機の該オイルパンＺ内のフルードを交換するためのものである。
オーバーフローチューブＴは、車両変速機のオイルパンＺのドレイン口Ｚａに立設状に取着されている。また、オーバーフローチューブＴは、先端（上端）部に、オイルパンＺ内においてフルードＦの適正液面（適正量）を規定するための規定端面Ｔｄを有し、基端（下端）部に規定端面Ｔｄをオーバーフローした（乗り越えた）フルードＦを排出するための排出口Ｔａを有している。
また、オーバーフローチューブＴの排出口Ｔａには、オーバーフロープラグＥが着脱自在に取着される。
【００１１】
図１及び図２に示すように、廃油タンク６及び新油タンク７を内部に収容可能な矩形箱型車輪付の装置本体10と、装置本体10のケーシング外面から突出状に設けたホース部材１と、を備えている。
さらに、図１乃至図３に示すように、ホース部材１の先端部に着脱自在に取着可能なアダプタ部材２と、フルードＦの油温を測定するための熱電対３と、を備えている。
【００１２】
また、図１及び図２に示すように、ホース部材１とは別に、装置本体10のケーシング外面から突出状に設けられ車両のレベルゲージ用孔（フィラーチューブ）に挿入可能なストロー状ノズル90が、先端部に取着されるレベルゲージ用孔対応ホース部材９を付設している（備えている）。
なお、ホース部材１を第１のホース部材１又はオーバーフローチューブ対応ホース部材１と呼ぶ場合がある。また、レベルゲージ用孔対応ホース部材９を第２のホース部材９と呼ぶ場合がある。
【００１３】
図１乃至図４に示すように、アダプタ部材２は、先端部21が、オーバーフローチューブＴ（以下、チューブＴと呼ぶ場合がある）の排出口Ｔａに着脱自在に取着可能に形成されている。
例えば、アダプタ部材２の先端部21は、排出口Ｔａに形成されている雌ネジ部に螺着可能な雄ネジ部を有している。
アダプタ部材２は、先端部21の規格（形状及び寸法）が相互に異なる複数種類を備えている。つまり、複数種類のアダプタ部材２，２，２は、適合する（着脱可能に取着する）チューブＴが異なる。例えば、雄ネジ部のネジ規格（ネジ径、ネジピッチ等）が相互に異なる。また、先端部21のシール構造が相互に異なる場合もある。
【００１４】
アダプタ部材２の基端部22は、ホース部材１の先端部に設けた継手部材11に着脱自在に取着可能に形成されている。例えば、アダプタ部材２の基端部22は、ホース部材１の先端部に着脱自在に取着可能な円筒状部を有している。
そして、複数種類のアダプタ部材２は、基端部22の外形状が、夫々、同規格（同一形状及び同一外径寸法）であって、夫々が、ホース部材１の継手部材11（先端部）に着脱自在である。
図４（ａ）に示すアダプタ部材２は、ストレート型大径ネジ用であり、図４（ｂ）に示すアダプタ部材２は、ストレート型中径ネジ用であり、図４（ｃ）に示すアダプタ部材２は、ストレート型小径ネジ用であり、図４（ｄ）に示すアダプタ部材２は、Ｌ字型小径ネジ用である。なお、図示省略するが、他にも、様々な形状のものや、ネジ径のものを備えている。
【００１５】
アダプタ部材２は、（接続すべきチューブＴの規格に応じて）複数種類の内から選択的に、ホース部材１の先端部に交換自在に取着される。
言い換えると、ホース部材１の先端部（継手部材11）は、複数種類のアダプタ部材２に対応しており、複数種類のアダプタ部材２の内から選択的に着脱自在である。
【００１６】
図１乃至図３に示すように、熱電対３は、ホース部材１に取着している。
熱電対３の先端（測定部）３ａは、ホース部材１の先端口から突出状に設けられている。そして、図３及び図６に示すように、ホース部材１に取着されたアダプタ部材２がチューブＴの排出口Ｔａに接続された状態で、熱電対３の先端３ａが、ホース部材１の先端からアダプタ部材２とチューブＴを通過するように設けている。さらに、チューブＴから突出した部位がＵターン状として、先端３ａが垂れ下がるように、熱電対３の先端部（先端領域）をＪ字状にクセ付けしている。このように設けることで、熱電対３の先端３ａが、チューブＴの規定端面Ｔｄよりも、オイルパンＺの底面側に配設され、熱電対３の先端３ａがオイルパンＺ内のフルードＦの液面からフルードＦ内部に浸漬して、油温を直接的に計測するように構成している。
【００１７】
熱電対３は、先端側が自由端となるように片持ち梁状に、（図例では）ホース部材１の分岐状配管継手部材12に取着され、熱電対３のこのように取着された固定端（基端部）３ｂから、上記先端３ａまでは、他部材に固着されないで、自由状態である（但し、他部材へ接触していてもよい）。熱電対３の固定端（基端部）３ｂは、ホース部材１の途中部位に設けた取り出し用の分岐状配管継手部材12において、ホース内部からホース部材１のラジアル外方へ誘導され、分岐状取出口12ａに取着されて、ホース外部側の電線材30の先端部と接続している。
このように、熱電対３をホース部材１に取着（固定し）、アダプタ部材２に対して非取着（非固定）状態とすることで、アダプタ部材２の交換を容易かつ迅速に行うことが可能になると共に、複数種類のアダプタ部材２，２毎に熱電対３を設ける必要が無く、製造も容易（低コスト）である。
【００１８】
図２及び図３に示すように、電線材30は、ホース部材１に巻設状、或いは、図示省略するが平行状に、ホース部材１に取着され、ホース部材１と一体状に取り回し可能に設けている。電線材30の基端部は、装置本体10の内部に設けた熱電対用計測器に接続されている。
【００１９】
図１及び図２に示すように、装置本体10は、内部に、廃油タンク６と、新油タンク７と、廃油タンク６（の内容量）の重さを測定するための廃油用ロードセル60と、新油タンク７（の内容量）の重さを測定するための新油用ロードセル70と、フルードＦを送流させるためのポンプ５を有すると共に複数の開閉弁Ｖ１，Ｖ２，Ｖ３，Ｖ４，Ｖ５を有する配管回路部８と、ポンプ（ギアポンプ）５を駆動させるための電動モータ４と、を備えている。また、装置本体10は、各開閉弁Ｖ１，Ｖ２，Ｖ３，Ｖ４，Ｖ５や電動モータ４や熱電対用計測器等の被制御部材を制御すると共に、各ロードセル60，70や熱電対用計測器等の計測機器からのデータ（信号）を読み取り可能なＣＰＵやシーケンサ等の制御部を備えている。さらに、装置本体10は、制御部に指示作業完了信号や命令信号を送るためのボタンやタッチパネル等の操作部と、作業者に指示や情報を提供するためのディスプレイやランプ等の表示部と、油温測定結果や新油注入量等のデータを保存可能なＲＯＭやＲＡＭやフラシュメモリ等の記憶部と、音声を出力可能なスピーカやブザー等の音声出力部と、を備えている。
【００２０】
図１に示すように、配管回路部８は、第１のホース部材１の基端部１ｂと一端部が接続された第１配管部81と、第２のホース部材９の基端部９ｂと一端部が接続された第２配管部82と、第１配管部81の他端部と第２配管部82の他端部が接続されたホース側分岐合流部83と、を有している。ホース側分岐合流部83には異物除去用のフィルタを設けている。そして、ホース側分岐合流部83はポンプ５の一方口部と接続されている。
【００２１】
さらに、配管回路部８は、ポンプ５の他方口部と接続されたタンク側分岐合流部88と、タンク側分岐合流部88に一端部が接続され廃油タンク６に他端部が接続された廃油用配管部86と、タンク側分岐合流部88に一端部が接続され新油タンク７に他端部が接続された新油用配管部87と、を有している。
【００２２】
そして、配管回路部８は、廃油用配管部86と、ホース部材１の先端側と、を接続するための洗浄用接続配管部89を有している。
洗浄用接続配管部89は、一端部が廃油用配管部86の中間部に接続され、他端部に、ホース部材１の先端側が接続可能な接続口部89ａを有している。
廃油用配管部86において、洗浄用接続配管部89の一端部との接続部を、洗浄管接続部84と呼ぶ。
【００２３】
第１配管部81には、第１の開閉弁Ｖ１を介装している。第２配管部材82には、第２の開閉弁Ｖ２を介装している。
廃油用配管部86には、第３の開閉弁Ｖ３を介装し、第３の開閉弁Ｖ３と廃油タンク６の間に第４の開閉弁Ｖ４を介装し、第３の開閉弁Ｖ３と第４の開閉弁Ｖ４の間に洗浄管接続部84を設け、第４の開閉弁Ｖ４と廃油タンク６の間に、廃油用サイトグラスＧ６を介装している。
新油用配管部87には、第５の開閉弁Ｖ５を介装し、第５の開閉弁Ｖ５と新油タンク７の間に、新油用サイトグラスＧ７を介装している。
【００２４】
次に、本発明のフルード交換装置の使用方法（作用）と制御（処理及び工程）について説明する。
先ず、電源が入ると制御部は、表示部に、標準交換モードと、簡易交換モードと、入念交換モードと、のいずれのモードでフルード交換を行うかを作業者（使用者）に問う表示を行う。
【００２５】
先ず、標準交換モードが選択された場合について説明する。
制御部は、図５に示すように、変速機オイルパンＺ（以下、オイルパンＺと呼ぶ場合がある）のドレイン口ＺａからチューブＴを取り外し、オイルパンＺの底部に溜まっている古いフルードＦを自然滴下（自由落下）にて排出する準備作業指示を、表示部に表示させる（図11の第１のステップＳ１）。
さらに、図11の第１のステップＳ１において、制御部は、チューブＴからオーバーフロープラグＥ（以下、プラグＥと呼ぶ場合もある）を取り外し、チューブＴの排出口Ｔａに接続可能なアダプタ部材２を選択して、ホース部材１に接続し、フルードＦの自然滴下終了後に、オイルパンＺにチューブＴを取着すると共に、選択したアダプタ部材２を介してホース部材１の先端側をチューブＴに取着する準備作業指示を、表示部に表示させる（準備作業工程）。
【００２６】
そして、第２のステップＳ２において、操作部にて、指示作業（準備作業）完了状態であることが入力操作されると、第３のステップＳ３に進む。図６に示すように、制御部は、第１・第５の開閉弁Ｖ１，Ｖ５を開状態とし、第２・第３・第４の開閉弁Ｖ２，Ｖ３，Ｖ４を閉状態とし、電動モータＭを正転させてポンプＰを駆動させる（注入回路状態とする）。新油タンク７から、未使用の（新しい）フルードＦがオイルパンＺへ注入される。
【００２７】
フルードＦの注入を、所定量だけ行った後、図11の第４のステップＳ４に進む。図７に示すように、第１・第３・第４の開閉弁Ｖ１，Ｖ３，Ｖ４を開状態とし、第２・第５の開閉弁Ｖ２，Ｖ５を閉状態とし、電動モータＭを逆転させて、ポンプＰにてオーバーフローしたフルードＦが廃油タンク６へ流れるようにする（回収回路状態にする）。このように配管回路部８を制御して、チューブＴの規定端面ＴｄをオーバーフローするフルードＦがあるか否かを、廃油用ロードセル60の測定（廃油タンク６の重さの増加）に基づいて、又は、図示省略の流量計や液体有無判定器からの測定に基づいて、判定（確認）する。
【００２８】
図11の第４のステップＳ４において、オーバーフローが無ければ、第３のステップＳ３に戻って、配管回路部８を注入回路状態にして、新油の注入を再開する。
オーバーフローがあれば、次の第５のステップＳ５に進んで、オーバーフロー量が所定量以下になるまで待ち、オーバーフロー量が所定量以下になったことが（廃油用ロードセル60又は図示省略の流量計の測定結果に基づいて）確認されると、オイルパンＺの底部にフルードＦが規定量貯まっていると判定する（規定量注入工程）。
【００２９】
そして、制御部は、次の第６のステップＳ６に進んで、作業者にエンジンをＯＮ（作動）させる作業指示を、表示部に表示させる。
次の、第７のステップＳ７において、操作部にて作業者からエンジン作動状態（指示作業完了状態）であることが入力操作されると、第８のステップＳ８に進む。
そして、エンジン作動状態で、新油を注入する。エンジンを作動させることで、変速機の各部に残留していた古いフルードＦがオイルパンＺに集まり、注入した新油と混合され希釈される。そして、所定量注入後に、第９のステップＳ９に進んで、オーバーフローするフルードＦを回収する（抜き取る）。この注入・回収による希釈工程を所定回数行うまで繰り返す。
【００３０】
そして、制御部は、次の第10のステップＳ10において、希釈工程が所定回数行われたと判定（確認）すると、第11のステップＳ11に進んで、作業者にエンジンをＯＦＦ（停止）させる作業指示を、表示部に表示させる。
そして、次の第12のステップＳ12にて、操作部にて作業者からエンジンを停止させたこと（指示作業が完了したこと）が入力操作されると、図14の油温確認工程へ進む。
なお、図11と図12と図13※Ａは、図14の※Ａに続く。また、各ステップの名称の数字「第１」や「第12」等、符号「Ｓ１」や「Ｓ12」等は、説明を容易にするために付与したものであって、処理の順番を意味するものでは無い。
【００３１】
図14の第13のステップＳ13にて、熱電対３の測定結果に基づいて、オイルパンＺ内のフルードＦが所定油温範囲内（例えば、39℃以上45℃以下）か否かを判定する。
そして、所定油温範囲内であれば、第14のステップＳ14に進んで、配管回路部８を回収回路状態とし、オーバーフローが有るか否かを判定する。オーバーフローがなければ、第15のステップＳ15に進んで、配管回路部８を注入回路状態に切り替えて新油を注入し、所定量注入後に、第14のステップＳ14に戻ってオーバーフローが有るか否かを判定する。
第14のステップＳ14において、オーバーフローが確認できれば、次の第16のステップＳ16へ進む。
第16のステップＳ16において、オーバーフロー量が所定量以下になったのを確認すると、次の第17のステップＳ17に進んで、表示部にフルード交換作業が完了したことを表示して終了する。
【００３２】
ここで、第13のステップＳ13において、油温が所定油温範囲内でない場合は、第18のステップＳ18に進んで、所定の油温範囲よりも低いか高いかを判定する。
低い場合は、第19のステップＳ19に進んで、エンジンＯＮの作業指示を、表示部に表示させる。
次の、第20のステップＳ20において、操作部にて作業者からエンジン作動状態であることが入力操作されると、第21のステップＳ21に進む。制御部は、所定時間経過すると、エンジンを停止（ＯＦＦ）させる作業指示を表示部に表示させる。
次の第22のステップＳ22において、操作部にて作業者からエンジン停止状態であることが入力操作されると、第13のステップＳ13に進んで、再度、油温の確認を行う。
【００３３】
そして、第18のステップＳ18において、所定油温範囲よりも高い場合は、第23のステップＳ23に進んで、フルードＦを所定量注入し、その後、第24のステップＳ24に進んで、オーバーフローするフルードＦを注入した分だけ回収し、第13のステップＳ13に進んで、再度、油温の確認を行う。
【００３４】
このように、オイルパンＺ内のフルードＦの油温が、所定の油温範囲よりも低い場合は、エンジンの運転によって油温を上げ、高い場合は、フルードＦの追加によって油温を下げる油温調整工程を行う。
【００３５】
次に、作業者が簡易交換モードを選択した場合について説明する。制御部は、オイルパンＺに取着しているチューブＴからプラグＥを取り外して、チューブＴの排出口Ｔａに接続可能なアダプタ部材２を選択し、選択したアダプタ部材２を介してホース部材１の先端側をチューブＴに取着し、その後、エンジンを作動させる準備作業指示を、表示部に表示させる（図12の第25のステップＳ25）。
【００３６】
次の、第26のステップＳ26において、操作部にて作業者から指示作業完了状態であることが入力操作されると、第27のステップＳ27に進む。
エンジン作動状態で、図６に示すように、新油を注入する。そして、所定量注入後に、第28のステップＳ28に進んで、オーバーフローするフルードＦを回収する（抜き取る）。この注入・回収による希釈工程を所定回数行うまで繰り返す。
【００３７】
そして、第29のステップＳ29において、制御部が希釈工程が所定回数行われたと判定（確認）すると、次の第30のステップＳ30にて、作業者にエンジンを停止させる作業指示を、表示部に表示させる。そして、次の第31のステップＳ31にて、操作部にて作業者からエンジンを停止させたことが入力されると、希釈工程を終了したと判定し、図14の油温確認工程へ進み、上述した標準交換モードと同様に、制御及び処理や表示を行って、フルード交換作業を終了する。
【００３８】
次に、作業者が入念交換モードを選択した場合について説明する。制御部は、図５に示すように、オイルパンＺからチューブＴを取り外し、古いフルードＦを排出させ、その後、ドレイン口ＺａにチューブＴを取着し、チューブＴの排出口Ｔａにアダプタ部材２を介してホース部材１を接続する準備作業指示を、表示部に表示させる（図13の第33のステップＳ33）。
【００３９】
図13の第34のステップＳ34において、操作部にて、指示作業完了状態であることが入力されると、第35のステップＳ35に進んで、図６に示すように、新油の注入を開始する（注入回路状態とする）。そして、所定量、或いは、所定時間の注入を行った後、第36のステップＳ36に進んで、オーバーフローするフルードＦがあるか否かを判定（確認）する。
【００４０】
第36のステップＳ36において、オーバーフローが無ければ、第35のステップＳ35に戻って、新油の注入を再開する。オーバーフローがあれば、次の第37のステップＳ37に進んで、オーバーフロー量が所定量以下になるまで待ち、制御部がオーバーフロー量が所定量以下になったことを確認すると、オイルパンＺの底部にフルードＦが規定量貯まっていると判定する（規定量注入工程）。
【００４１】
そして、制御部は、次の第38のステップＳ38に進んで、作業者にエンジンをＯＮ（作動）させる作業指示を、表示部に表示させる。次の、第39のステップＳ39において、操作部にて作業者から指示作業完了（エンジン作動）状態であることが入力されると、第40のステップＳ40に進む。第40のステップＳ40において、エンジンの作動により変速機の各部に残留していたフルードＦがオイルパンＺへ流れてくるため、配管回路部８を回収回路状態にして、チューブＴの規定端面Ｔｄを超えてオーバーフローするフルードＦを回収しつつ、所定時間経過するまで待つ。そして、所定時間経過後に、フルードＦを規定量まで貯める規定量注入工程が、入念交換モードをスタートしてから所定回数行われたか確認する。１回目なので、第42のステップＳ42に進んで、ブザー音を出力し、次の第43のステップＳ43に進んで、エンジンをＯＦＦにし、図５に示すように、オイルパンＺからチューブＴを取り外し、新油と旧油が混じったフルードＦを排出させ、その後、ドレイン口ＺａにチューブＴを取着し、チューブＴの排出口Ｔａにアダプタ部材２を介してホース部材１を接続する（繰り返し用）準備作業指示を、表示部に表示させる。そして、次の第44のステップＳ44にて、作業者から、（繰り返し用）準備作業完了の入力操作が行われると、第35のステップＳ35に戻って、再び、注入を開始し、第41のステップＳ41まで進み、規定量注入工程を所定回数行ったと判定されるまで、この規定量注入工程を繰り返す。
【００４２】
そして、第41のステップＳ41にて、規定量注入工程を所定回数行ったと判定されると、次の第45のステップＳ45に進んで、エンジンＯＦＦの作業指示を、表示部に表示させる。次の第46のステップＳ46において、操作部にて作業者から指示作業完了（エンジン停止）状態であることが入力操作されると、図14の油温確認工程へ進む。上述した標準交換モードと同様に、制御及び処理や表示を行って、フルード交換作業を終了する。
【００４３】
さらに、本発明のフルード交換装置は、交換するフルードＦが、前回のフルード交換作業で使用したフルードＦと、種類が異なる場合に、図８乃至図10に示すように、新油用配管部87と、ポンプＰと、第１配管部81と、第１のホース部材１とを、交換に用いるフルードＦにて配管内の洗浄を行うことが可能に構成している。この第１のホース部材１を用いて洗浄する工程を、第１の配管洗浄と呼ぶ場合がある。
【００４４】
作業者が、第１の配管洗浄モードを選択すると、図８に示すように、第１のホース部材１の先端側を、洗浄用接続配管部89の接続口部89ａに接続する準備作業指示を表示部に表示する。
第１のホース部材１の先端側と、接続口部89との接続構造は、図８に示すように、第１のホース部材１の先端部（継手部材11）と接続口部89ａとジョイント部材19を介して接続可能、又は、第１のホース部材１の先端部（継手部材11）と接続口部89ａが直接的に接続可能、又は、図示省略するがアダプタ部材２を介して接続可能、に構成している。
【００４５】
そして、準備作業が完了したことが入力操作されると、第１・第４・第５の開閉弁Ｖ１，Ｖ４，Ｖ５を開状態とし、第２・第３の開閉弁Ｖ２，Ｖ３を閉状態とし、電動モータ４を正転させる。新油（交換に使用する予定の未使用のフルードＦ）が、新油タンク７から新油用配管部87、タンク側分岐合流部88、ポンプ５、ホース側分岐合流部83、第１配管部81、第１のホース部材１、洗浄用接続配管部89、廃油用配管部86において洗浄管接続部84から廃油タンク６まで、を順次流れて、廃油タンク６へ送られる。
【００４６】
さらに、制御部は、新油タンク７から廃油タンク６へ所定量のフルードＦ（新油）が送られたと（各ロードセル60，70の計測にて）判定すると、図９に示すように、第１・第３の開閉弁Ｖ１，Ｖ３を開状態とし、第２・第４・第５の開閉弁Ｖ２，Ｖ４，Ｖ５を閉状態として、閉回路を形成し、フルードＦが、タンク側分岐合流部88、ポンプ５、ホース側分岐合流部83、第１配管部81、第１のホース部材１、洗浄用接続配管部89、廃油用配管部86において洗浄管接続部84からタンク側分岐合流部88まで、を順次、循環する（循環洗浄工程を行う）。
このように、配管回路部８を制御することで、新油の無駄使いを防止しながらも、フルードＦが残留しやすいポンプＰや第１のホース部材１内を重点的に洗浄できる。
【００４７】
そして、制御部は、循環洗浄が所定時間行われたと判定すると、図10に示すように、第１・第４の開閉弁Ｖ１，Ｖ４を開状態とし、第２・第３・第５の開閉弁Ｖ２，Ｖ３，Ｖ５を閉状態として、循環させていたフルードＦを、廃油タンク６に送り、第１の配管洗浄を終了する。
【００４８】
また、第２のホース部材９のストロー状ノズル90は、ＡＴ（オートマッチクトランスミッション）や、ＤＣＴ（デュアルクラッチトランスミッション）や、レベルゲージ有りのＣＶＴ（コンティニュアリーバリアブルトランスミッション、無段変速機）、エンジン、等のレベルゲージ用孔（フィラーチューブ）に挿入され、ノズル先端がオイルパン底部に到達し、ミッションオイルやフルードやエンジンオイル等の油液の交換を行うことを可能にしている。
つまり、新油タンク７は、交換自在であって、ＡＴＦやＣＶＴＦを貯えたもの以外に、ミッションオイルを貯えたもの、エンジンオイルを貯えたもの等の場合がある。
【００４９】
そして、図示省略するが、新油用配管部87と、ポンプＰと、第２配管部82と、第２のホース部材９とを、交換に用いるフルードＦ等の油液にて洗浄可能に構成している。この第２のホース部材９を用いる洗浄を第２の配管洗浄と呼ぶ。まず、交換すべき油液を貯えている新油タンク７を装置本体10内の所定位置（新油用ロードセル70で測定可能）に配置する。
【００５０】
作業者が、第２の配管洗浄モードを選択すると、第２のホース部材９の先端部の接続継手部材91から、ストロー状ノズル90を取外し、第２のホース部材９の先端部（接続継手部材91）と接続口部89ａとを直接的に接続、又は、ジョイント部材を介して接続口部89ａに接続する。
そして、準備作業が完了したことが入力操作されると、第２・第４・第５の開閉弁Ｖ２，Ｖ４，Ｖ５が開状態とし、第１・第３の開閉弁Ｖ１，Ｖ３を閉状態とし、電動モータ４を正転させる。新油タンク７から新油（未使用のエンジンオイルやミッションオイル等の油液）が、新油用配管部87、タンク側分岐合流部88、ポンプ５、ホース側分岐合流部83、第２配管部82、第２のホース部材９、洗浄用接続配管部89、廃油用配管部86において洗浄管接続部84から廃油タンク６まで、を順次、流れて、廃油タンク６へ送られる。
【００５１】
さらに、制御部は、新油タンク７から廃油タンク６へ所定量の油液が送られたと判定すると、第２・第３の開閉弁Ｖ２，Ｖ３を開状態とし、第１・第４・第５の開閉弁Ｖ１，Ｖ４，Ｖ５を閉状態として、油液が、タンク側分岐合流部88、ポンプ５、ホース側分岐合流部83、第２配管部82、第２のホース部材９、洗浄用接続配管部89、廃油用配管部86において洗浄管接続部84からタンク側分岐合流部88まで、を順次、循環する（循環洗浄工程）。
そして、制御部は、循環洗浄が所定時間行われたと判定すると、第２・第４の開閉弁Ｖ２，Ｖ４を開状態とし、第１・第３・第５の開閉弁Ｖ１，Ｖ３，Ｖ５を閉状態として、循環させていた油液を、廃油タンク６に送り、第２の配管洗浄を終了する。
【００５２】
このように構成することで、配管内で、ミッションオイルやエンジンオイルやＡＴＦやＣＶＴＦ等の様々な種類の油液が混合された状態で注入されるのを防止できる。つまり、様々な種類の油液交換作業が可能となる。
【００５３】
また、図２に示すように、リフト等で車両を持ち上げた際に、オイルパンＺのドレイン口Ｚａから排出されるフルードＦや、車両各部のドレイン孔（口）から排出される油液を受けるバケット部材18を装置本体10に設けている。バケット部材18で受けた油液は、廃油タンク６へ自然落下（自由落下）にて流れるように設けている。
そして、バケット部材18で受けたフルードＦ等の油液量を、廃油用ロードセル60にて測定して、この測定結果に基づいて、フルードＦ等の油液を注入する際の注入量の目安（注入設定量）を決定することが可能である。
【００５４】
次に、第１のホース部材１及び熱電対３の取付位置の他の例について説明する。
図15に示すように、熱電対３は、第１のホース部材１に取着している。そして、熱電対３の先端（測定部）３ａは、第１のホース部材１の内部に設けている。このように設けることで、熱電対３の先端３ａが、人や車両や装置本体10のケーシング等の他部材と接触する虞れがなくなる。また、アダプタ部材２の交換作業や、オーバーフローチューブＴとの着脱作業を容易かつ迅速に行うことができる。
そして、このように熱電対３を第１のホース部材１の内部に設けた場合は、油温確認工程前において、オイルパンＺ内のフルードＦの液面が、オーバーフロー規定端面Ｔｄより高くなるようにフルードＦを注入し、（直ぐに、）第１の開閉弁Ｖ１（図６参照）を閉状態とする。つまり、図15に示すように、オイルパンＺ内でフルードＦの液面がオーバーフロー規定端面Ｔｄよりも高く、かつ、第１のホース部材１の内部（熱電対３の先端３ａの周囲）がフルードＦで満たされるようにする。この状態で、油温の測定を行う。
【００５５】
なお、本発明は、設計変更可能であって、第１のホース部材１の先端部と、アダプタ部材２の接続構造は、図示のような袋ナットと抜け止めリング構造の継手構造に限らず、圧入式や、螺着式等自由である。熱電対３のクセ付は、先端領域をカール状（コイルバネ状）にクセ付して、Ｊ字状となるようにするも良い。或いは、先端３ａにウエイトを取着して、重さによってＪ字状とするも良い。
また、図11の標準交換モード（工程）及び図12の簡易交換モード（工程）において、フルードＦをオイルパンＺから最初に排出させてから又は回収してから（抜き取ってから）、油温確認工程へ進むまでの間に、エンジンをＯＮのままとするも良い。（エンジンをＯＦＦにすることなく作業するも良い。）例えば、第11・第12・第30・第31ステップＳ11，Ｓ12，Ｓ30，Ｓ31を省略するも良い。
また、図14の油温確認工程において、エンジンをＯＮとしたまま（エンジンをＯＦＦにすることなく）油温確認工程を行うも良い。
また、図２、図５等に於ては、各タンク６，７の下部に各ロードセル60，70を配設しているが、各タンク６，７の上方位置に各ロードセル60，70を配設して、吊り下げ式にて計量するように構成するのが好ましい。
また、図２に於ては、電動モータ４を装置本体10の下部に配設しているが、装置本体10の上部に配設するのが望ましい。
なお、本発明において、フルードＦとは、ＡＴＦ（オートマッチクトランスミッションフルード）、ＣＶＴＦ（無段変速器フルード）、ＤＣＴＦ（デュアルクラッチトランスミッションフルード）、ミッションオイル、エンジンオイル等の車両駆動部に貯えられる潤滑油や作動油を言う。
【００５６】
以上のように、本発明のフルード交換装置は、オイルパンＺにオーバーフローチューブＴが取着された車両変速機の該オイルパンＺ内のフルードＦを交換するためのフルード交換装置であって、上記オーバーフローチューブＴの排出口Ｔａに着脱自在に取着するためのアダプタ部材２と、該アダプタ部材２が先端部に取着されるホース部材１と、上記オイルパンＺ内のフルードＦの油温を測定するための熱電対３と、を備え、上記熱電対３を上記ホース部材１に取着したので、油温を容易に確認でき、しかも、油温が適正な状態で、フルードＦを適正量に調整できる。車両変速機内に、ゴミ等の異物が侵入せず、異物による損傷を防止できる。熟練した技量が無くとも、フルード交換を適正かつ迅速に行うことができる。また、熱電対３をホース部材１に取着しているので、アダプタ部材２を着脱自在（交換自在）にできると共に、複数種類のアダプタ部材２を容易に製造できる。
【００５７】
また、上記アダプタ部材２を、複数種類備え、上記アダプタ部材２は、複数種類の内から選択的に、上記ホース部材１に交換自在に取着されているので、様々な種類のオーバーフローチューブＴ（様々な種類のメーカーや車種の変速機）に容易かつ、迅速に対応できる。
【００５８】
また、上記熱電対３が、上記ホース部材１の先端から上記アダプタ部材２と上記オーバーフローチューブＴを通過して、Ｕターン状として先端３ａが上記オイルパンＺ内のフルードＦの液面からフルードＦ内部に浸漬するように、上記熱電対３を上記ホース部材１に取着したので、オイルパンＺ内の油温を正確に測定することができる。しかも、油液面（規定端面Ｔｄ）よりも底部側の油温を測定でき、油液面（油表面）の温度を測定する場合や、熱電対３の先端３ａをチューブＴ内に留めて測定する場合比べて、正確な測定を行うことができる。
【００５９】
また、上記ホース部材１及び上記アダプタ部材２を介して上記オイルパンＺ内にフルードＦを送るためのポンプ５と、上記オイルパンＺから回収したフルードＦを蓄えるための廃油タンク６と、を接続するための廃油用配管部86を備え、さらに、該廃油用配管部86と、上記ホース部材１の先端側と、を接続するための洗浄用接続配管部89を、備え、上記ホース部材１の先端側と、上記洗浄用接続配管部89と、を接続した状態で、上記ポンプ５から上記ホース部材１と上記洗浄用接続配管部89を介して上記廃油タンク６にフルードＦを送流させて、配管洗浄を行うように構成したので、相互に異なる種類のフルードＦが、配管部内で混合したまま注入されるのを防止できる。様々な種類のフルード交換を容易かつ迅速に行うことができる。１台で様々な車種や変速機に対応でき使い勝手が良い。
【００６０】
車両のレベルゲージ用孔に挿入可能なストロー状ノズル90が先端部に取着されたレベルゲージ用孔対応ホース部材９が付設されているので、ゲージレスタイプのＣＶＴ等の変速機に限らず、ゲージ有りのＣＶＴのフルード交換や、エンジンオイル交換の自動注入・自動回収ができ、１台で、様々な油液の交換作業を行うことができる。つまり、１台で、ゲージレスＣＶＴ、ゲージ有りＣＶＴ、ＤＣＴ、ＡＴ、エンジン等に貯えられる作動油や潤滑油の交換作業に対応できる。
【符号の説明】
【００６１】
１  ホース部材
２  アダプタ部材
３  熱電対
３ａ  先端
５  ポンプ
６  廃油タンク
９  レベルゲージ用孔対応ホース部材
86  廃油用配管部
89  洗浄用接続配管部
90  ノズル
Ｆ  フルード
Ｔ  オーバーフローチューブ
Ｔａ  排出口
Ｚ  オイルパン
【図１】
2019051953.tif 000003
【図２】
2019051953.tif 000004
【図３】
2019051953.tif 000005
【図４】
2019051953.tif 000006
【図５】
2019051953.tif 000007
【図６】
2019051953.tif 000008
【図７】
2019051953.tif 000009
【図８】
2019051953.tif 000010
【図９】
2019051953.tif 000011
【図１０】
2019051953.tif 000012
【図１１】
2019051953.tif 000013
【図１２】
2019051953.tif 000014
【図１３】
2019051953.tif 000015
【図１４】
2019051953.tif 000016
【図１５】
2019051953.tif 000017